(57)【特許請求の範囲】
【請求項１】
導光部と、
枠状をなし弾性変形可能であり前記導光部における外周面の全周を覆う被覆部と、前記被覆部に一体に設けられ前記導光部における前記外周面よりも内側に向けて突起する導光部取付爪と、を有するハウジングと、を備え、
前記導光部の前記外周面と前記被覆部の内周面とは対面し、
前記被覆部は、前記被覆部の前記内周面と前記導光部の前記外周面との隙間の大きな隙部と、前記隙部に比べて前記隙間の小さな狭部と、を有し、
前記導光部取付爪は前記隙部に設けられている、照明部材。
【請求項２】
導光部と、
枠状をなし弾性変形可能であり前記導光部における外周面の全周を覆う被覆部と、前記被覆部に一体に設けられ前記導光部における前記外周面よりも内側に向けて突起する導光部取付爪と、を有するハウジングと、を備え、
前記導光部の前記外周面と前記被覆部の内周面とは対面し、
前記被覆部は、前記被覆部の前記内周面と前記導光部の前記外周面との隙間の大きな隙部と、前記隙部に比べて前記隙間の小さな狭部と、を有し、
さらに、ベース部を有し、
前記ハウジングは、前記被覆部に一体に設けられ前記ベース部に係合するベース部取付爪を有し、
前記ベース部取付爪は、前記隙部を避けた位置に設けられている、照明部材。
【請求項３】
前記被覆部の内周は非真円状をなし、
前記被覆部は、前記内周の径が最大となる第１軸方向における両端部に二つの前記隙部を有し、
前記導光部取付爪は、前記隙部の各々に設けられている、請求項１に記載の照明部材。
【請求項４】
前記被覆部の内周は非真円状をなし、
前記被覆部は、前記内周の径が最大となる第１軸方向における両端部と、前記第１軸方向に直交する第２軸方向における両端部と、にそれぞれ二つの前記隙部を有し、
前記導光部取付爪は前記隙部の各々に設けられている、請求項１に記載の照明部材。
【請求項５】
さらに、ベース部を有し、
前記ハウジングは、前記被覆部に一体に設けられ前記ベース部に係合するベース部取付爪を有し、
前記ベース部取付爪は、前記隙部を避けた位置に設けられている、請求項１、３、４の何れか一項に記載の照明部材。
【発明の詳細な説明】
【技術分野】
【０００１】
本発明は、導光部とハウジングとを有する照明部材に関する。
【背景技術】
【０００２】
照明部材の１種として、光源に接続される導光部を有するものが知られている。この種の照明部材において、光源から出射された光は、導光部の端面を経て導光部の内部に進入する。導光部の内部に進入した光が導光部の内部で反射したり、或いは導光部の表面を経て外部に出射したりすることで、導光部は光って見える。このように導光部が光ることで、照明部材には、導光部の形状や、導光部の光っている部分の形状に応じた種々の意匠が付与される。
導光部により表示される意匠を多様化するために、導光部の一部を光透過性の低い材料で覆う技術が提案されている（例えば、特許文献１参照）。
【０００３】
特許文献１に紹介されている照明部材においては、ハウジングを構成する二つの分体（つまり、意匠パネルおよび加飾ベゼル）によって導光部を挟み込んでいる。このため導光部の一部は二つの分体の隙間から視認され、それ以外の部分は二つの分体によって覆われる。つまり、この照明部材によると二つの分体の隙間の形状に応じて、導光部による光の意匠が表示される。
【０００４】
しかしこの種の照明部材によると、ハウジングの部品点数が多く照明部材の製造コストが高い問題がある。また、ハウジングを構成する二つの分体同士の係合構造が必要となるために、ハウジングが嵩張ったり、導光部とハウジングとの取付作業性を向上させ難い問題もあった。
【先行技術文献】
【特許文献】
【０００５】
【特許文献１】特開２０１４−１００９８０号公報
【発明の概要】
【発明が解決しようとする課題】
【０００６】
本発明は上記事情に鑑みてなされたものであり、部品点数が少なく、かつ、導光部とハウジングとの取付作業性に優れる照明部材を提供することを目的とする。
【課題を解決するための手段】
【０００７】
上記課題を解決する本発明の照明部材は、
導光部と、
枠状をなし弾性変形可能であり前記導光部における外周面の全周を覆う被覆部と、前記被覆部に一体に設けられ前記導光部における前記外周面よりも内側に向けて突起する導光部取付爪と、を有するハウジングと、を備え、
前記導光部の前記外周面と前記被覆部の内周面とは対面し、
前記被覆部は、前記被覆部の前記内周面と前記導光部の前記外周面との隙間の大きな隙部と、前記隙部に比べて前記隙間の小さな狭部と、を有する照明部材である。
【発明の効果】
【０００８】
本発明の照明部材は、部品点数が少なく、かつ、導光部とハウジングとの取付作業性にも優れる。
【図面の簡単な説明】
【０００９】
【図１】実施例１の照明部材を模式的に表す斜視図である。
【図２】実施例１の照明部材を一部分解した様子を模式的に表す分解斜視図である。
【図３】実施例１の照明部材における導光部およびハウジングを模式的に表す要部分解斜視図である。
【図４】実施例１の照明部材の図２中Ｘ−Ｘ位置における断面を模式的に表す断面図である。
【図５】実施例１の照明部材の図２中Ｙ−Ｙ位置における断面を模式的に表す断面図である。
【図６】実施例１の照明部材における導光部とハウジングとの隙間を模式的に表す説明図である。
【図７】実施例１の照明部材における導光部を図１中上側から見た様子を模式的に表す上面図である。
【発明を実施するための形態】
【００１０】
以下、具体例を挙げて本発明の照明部材を説明する。
【００１１】
（実施例１）
実施例１の照明部材は、本発明の照明部材を車両用のドリンクホルダとして具現化した例である。
【００１２】
図１は実施例１の照明部材を模式的に表す斜視図である。図２は実施例１の照明部材を一部分解した様子を模式的に表す分解斜視図である。図３は実施例１の照明部材における導光部およびハウジングを模式的に表す要部分解斜視図である。図４は実施例１の照明部材の図２中Ｘ−Ｘ位置における断面を模式的に表す断面図である。図５は実施例１の照明部材の図２中Ｙ−Ｙ位置における断面を模式的に表す断面図である。図６は実施例１の照明部材における導光部とハウジングとの隙間を模式的に表す説明図である。なお、図６は実施例１の照明部材を上面視した図である。図７は実施例１の照明部材における導光部を図１中上側から見た様子を模式的に表す上面図である。以下、上、下、径方向外側、径方向内側とは、図１、図４、および図５中の上、下、径方向外側、径方向内側を指すものとする。
【００１３】
実施例１の照明部材は、車両のコンソールボックスに取付けられるドリンクホルダである。図１および図２に示すように、実施例１の照明部材は、カバー部１、照明部２、および、容器保持部７を有する。照明部２はカバー部１の下方に配置され、容器保持部７はカバー部１および照明部２の更に下方に配置される。
【００１４】
カバー部１は、照明部２を上方から覆うとともに、図略のコンソールボックスの上面の一部を構成する部分である。つまりカバー部１の上面１０はコンソールボックスの外部に露出する。カバー部１は略板状をなし、後述する容器保持部７の収容開口７０に対面する位置に貫通穴状のカバー出入口１１を有する。カバー出入口１１は、容器保持部７への容器の出入口となる。カバー部１にはコンソールボックスに設けられている図略のコンソール係合部に係合する複数のカバー係合部１８が設けられている。カバー係合部１８がコンソール係合部に係合することで、カバー部１が図略のコンソールボックスに取付けられる。
【００１５】
容器保持部７は、缶やペットボトル、マグカップ等に代表される各種の容器（図略）を収容保持する部材である。容器保持部７は、本発明の特許請求の範囲におけるベース部に相当する。容器保持部７は、側壁７１と底壁７２とを有する略箱状をなし、内部に区画形成された収容空間７０に容器を収容するとともに、底壁７２で容器の底面（図略）を支持し、かつ、必要に応じて側壁７１で容器の側面（図略）を支持する。さらに、容器保持部７の側壁７１には当該側壁７１を出入可能な支持突起７３が取付けられている。この支持突起７３は容器保持部７の内部に付勢され、必要に応じて容器の側面（図略）を支持する。
【００１６】
容器保持部７には、孔を有する３つの保持係合部７５が設けられている。３つの保持係合部７５は、容器保持部７の収容開口７０の開口端縁付近に周方向に間隔をおいて配設されている。この保持係合部７５は、後述する照明部２の容器保持部取付爪５９と係合する。保持係合部７５と容器保持部取付爪５９とが係合することで、容器保持部７と照明部２とが一体化される。
【００１７】
照明部２は略Ｑ字状をなし、図３に示すように導光体３とハウジング４とで構成されている。導光体３は透明アクリル樹脂製であり、光透過可能である。ハウジング４は有色樹脂製であり遮光性を有する。
【００１８】
導光体３もまた略Ｑ字状をなす。このうち略リング状をなす部分を導光部３０と呼び、導光部３０に連続し略Ｉ字状をなす部分を光導入部３９と呼ぶ。光導入部３９にはＬＥＤ光源９０が接続される。光導入部３９の突出端部は、ＬＥＤ光源９０に取付けられる取付部３９ｘを構成している。
【００１９】
ハウジング４は被覆部４０、副被覆部５０、導光部取付爪５５、および容器保持部取付爪５９で構成されている。図３および図６に示すように、被覆部４０は、上面視すると導光部３０に対応した略リング状をなし、導光部３０を覆う。副被覆部５０は、被覆部４０に連続し、光導入部３９に対応した略Ｉ字状をなし、光導入部３９を覆う。導光部取付爪５５は被覆部４０に一体に設けられ、被覆部４０の下部から被覆部４０の径方向内側に向けて突起する。
【００２０】
図３および図４に示すように、被覆部４０には、その径方向内側および下側に開口する溝４８が設けられている。換言すると、溝４８は、被覆部４０の径方向内側（換言すると被覆部４０の内周側）および下側（換言すると容器保持部７側）に開口する。したがって、図４に示すように、被覆部４０を上下方向に切断した断面は略Ｌ字状をなす。この溝４８には、導光体３の導光部３０が収容される。したがってこのような被覆部４０を有するハウジング４は導光部３０を覆う略枠状をなすといえる。さらに換言すると、被覆部４０は、導光部３０における外周面３０ａの全周を覆うとともに導光部３０における上面の全面を覆っている。なお、図５に示すように、導光部取付爪５５のある位置においては、溝４８の下側に導光部取付爪５５が突出する。
【００２１】
図６に示すように、実施例１の照明部材においては、被覆部４０の内周形状は真円状ではなく涙型状である。つまり、被覆部４０の内周は非真円状をなす。図６に示す両矢印（Ｉ）方向を第１軸方向（Ｉ）と呼び、両矢印（ＩＩ）方向を第２軸方向（ＩＩ）と呼ぶ。第１軸方向（Ｉ）は、被覆部４０の径が最大となる方向である。被覆部４０における第１軸方向（Ｉ）の一方側の部分を第１隙部４１と呼び、第１軸方向（Ｉ）の他方側の部分を第２隙部４２と呼ぶ。第１隙部４１は、被覆部４０において曲率が最大となる部分である。第２軸方向（ＩＩ）は、上記の第１軸方向（Ｉ）に直交する方向であり、具体的には、多数ある当該方向のなかで被覆部４０の径が最大となる方向を指す。また、本明細書における「直交する方向」とは「略直交する方向」を含む概念であり、±１０°の誤差を許容する。
【００２２】
被覆部４０における第２軸方向（ＩＩ）の一方側の部分を第３隙部４３と呼び、第２軸方向（ＩＩ）の他方側の部分を第４隙部４４と呼ぶ。第１隙部４１〜第４隙部４４は、本発明の照明部材における隙部に相当する。第１隙部４１〜第４隙部４４は、後述する光流れ方向において、第４隙部４４→第１隙部４１→第３隙部４３→第２隙部４２の順に配列している。
【００２３】
被覆部４０は、導光部３０の外周面３０ａの全周を覆い、被覆部４０の内周面４０ｂと導光部３０の外周面３０ａとは対面する。被覆部４０の内周面４０ｂと導光部３０の外周面３０ａとの隙間は、第１隙部４１、第２隙部４２、第３隙部４３および第４隙部４４において、他の部分に比べて大きい。なお、第１隙部４１と第３隙部４３との間に位置する第１狭部４５、第３隙部４３と第２隙部４２との間に位置する第２狭部４６、第２隙部４２と第４隙部４４との間に位置する第３狭部４７、および第４隙部４４と第１隙部４１との間に位置する第４狭部４８において、被覆部４０の内周面４０ｂと導光部３０の外周面３０ａとは略隙間なく配置されている。
【００２４】
また、第１隙部４１、第２隙部４２、第３隙部４３および第４隙部４４には、それぞれ、導光部取付爪５５が一つずつ設けられている。各導光部取付爪５５は、上記したように、被覆部４０の下部から被覆部４０の径方向内側に向けて突起している。
【００２５】
ところで、各導光部取付爪５５は、被覆部４０の径方向内側に向けて突起し導光部３０に係合する部分である。このため、図６に示すように、導光部取付爪５５と導光部３０とは干渉し、導光部３０と被覆部４０とをそのままの状態で取付けるのは困難である。
【００２６】
しかし実施例１の照明部材においては、ハウジング４はポリプロピレン（所謂ＰＰ）製であり、変形量はさほど大きくないものの、弾性変形可能である。言うまでもなく、ハウジング４の一部を構成する被覆部４０もまた弾性変形可能である。したがって、実施例１の照明部材では、被覆部４０を導光部３０に取付ける際に、導光体３０を変形させることなく、被覆部４０を変形させつつ導光部３０に被せることが可能である。
【００２７】
より詳しくは、取付の際には被覆部４０に対して先ず図６に示す第１軸方向（Ｉ）、つまり、図６中矢印（Ｉ）の先側に向けて引張方向つまり被覆部４０が拡径する方向の力を加える。このとき、被覆部４０の周長は大きく変化しないものの、被覆部４０は、全体として、第１軸方向（Ｉ）方向において伸びかつ第２軸方向（ＩＩ）において潰れ、略菱形状に変形する。つまり、第１隙部４１および第２隙部４２は第１軸方向（Ｉ）に沿って離れる方向に位置変化し、第３隙部４３および第４隙部４４は第２軸方向（ＩＩ）に沿って近づく方向に位置変化する。このため、第１隙部４１および第２隙部４２に設けられた導光部取付爪５５の径方向内側端部は、導光部３０の外周面３０ａよりも更に外側に配置される。したがって、被覆部４０の第１隙部４１および第２隙部４２に設けられている導光部取付爪５５は、導光部３０を乗り越えて、容易に導光部３０の下面に係合する。
なお、このとき第１軸方向（Ｉ）に上記した引張方向の力を加える代わりに、第２軸方向（ＩＩ）に向けて圧縮方向つまり被覆部４０が縮径する方向の力を加えても、上記と同様の効果を奏する。
【００２８】
次いで、被覆部４０に対して第２軸方向（ＩＩ）、つまり、図６中矢印（ＩＩ）の先側に向けて引張方向つまり被覆部４０が拡径する方向の力を加える。すると、被覆部４０は全体として第２軸方向（ＩＩ）において伸び第１軸方向（Ｉ）において潰れた略菱形状に変形する。換言すると、第３隙部４３および第４隙部４４が第２軸方向（ＩＩ）に沿って離れる方向に位置変化し、第１隙部４１および第２隙部４２が第１軸方向（Ｉ）に沿って近づく方向に位置変化する。したがって、このとき、第３隙部４３および第４隙部４４に設けられた導光部取付爪５５の径方向内側端部を、導光部３０の外周面３０ａよりも更に外側に容易に配置できる。そして、被覆部４０の第３隙部４３および第４隙部４４に設けられている導光部取付爪５５を、それぞれ、導光部３０に容易に係合させ得る。
なお、このとき第２軸方向（ＩＩ）に上記した引張方向の力を加える代わりに、第１軸方向（Ｉ）に向けて圧縮方向つまり被覆部４０が縮径する方向の力を加えても、上記と同様の効果を奏する。
よって、実施例１の照明部材は導光部３０とハウジング４との取付作業性に優れる。また実施例１の照明部材は、被覆部４０を導光部３０に直接係合させるために、従来の照明部材とは異なり、部品点数が少なくて済む。
【００２９】
さらに、導光部３０に取付ける前の被覆部４０において、第１隙部４１〜第４隙部４４と導光部３０との間には隙間がある。この隙間は被覆部４０の変形代として機能する。つまり、このことによっても被覆部４０の第１隙部４１〜第４隙部４４は容易に変形し、導光部３０とハウジング４との取付作業性は向上する。
【００３０】
さらに、導光部３０に取付ける前の被覆部４０において、第１狭部４５〜第４狭部４８と導光部３０との間の隙間は小さいか、または、第１狭部４５〜第４狭部４８と導光部３０との間には隙間がない。このため、上記したように第１隙部４１〜第４隙部４４が変形する際には、第１狭部４５〜第４狭部４８が導光部３０に当接する。つまり、第１狭部４５〜第４狭部４８は、被覆部４０を導光部３０に対して位置決めするための部分として機能する。このことによっても、導光部３０とハウジング４との取付作業性は向上する。実施例１の照明部材は、これらの協働により、安価かつ容易に製造できる。
【００３１】
なお、図６に示すように、実施例１の照明部材における被覆部４０は４つの隙部（第１隙部４１〜第４隙部４４）と４つの狭部（第１狭部４５〜第４狭部４８）とが交互に配置されているが、本発明の照明部材においては、隙部および狭部はそれぞれ一つずつあれば良く、その個数や大きさ、位置等は特に限定しない。
【００３２】
また、被覆部４０と導光部３０とが組み付けられてなる実施例１の照明部材では、隙部（第１隙部４１〜第４隙部４４）においては被覆部４０の内周面４０ｂと導光部３０の外周面３０ａとの間に隙間があり、狭部（第１狭部４５〜第４狭部４８）においては被覆部４０の内周面４０ｂと導光部３０の外周面３０ａとの間の隙間はない。しかし、本発明の照明部材では、狭部においても被覆部４０の内周面４０ｂと導光部３０の外周面３０ａとの間に、隙部よりも狭い範囲で隙間を設けても良い。さらに、狭部においては、被覆部４０の内周面４０ｂと導光部３０の外周面３０ａとが圧接しても良い。何れの場合にも、隙部と狭部とを設けたことで、本発明の照明部材は取付作業性に優れる。
【００３３】
導光部３０とハウジング４とを容易に取付けるためには、何れの場合にも、被覆部４０における内周の周長を導光部３０における外周の周長以上にするのが良い。また、隙部は２つ以上あるのがより好ましく、各隙部は等間隔で配置されているのがより好ましい。
【００３４】
さらに、図２に示すように、実施例１の照明部材におけるにおけるハウジング４は、容器保持部取付爪５９を有する。容器保持部取付爪５９は、本発明の特許請求の範囲におけるベース部取付爪に相当する。容器保持部取付爪５９は、容器保持部７に設けた保持係合部７５に係合する。容器保持部取付爪５９が保持係合部７５に係合することで、容器保持部７とハウジング４とが一体化される。容器保持部取付爪５９は、被覆部４０の第２狭部４６、第３狭部４７および、第４狭部４８に設けられている。つまり、容器保持部取付爪５９は隙部を避けた位置（実施例１においては狭部）に設けられている。
【００３５】
突起状の容器保持部取付爪５９は補強リブのように機能するために、被覆部４０のなかで容器保持部取付爪５９を設けた部分は、変形し難くなる場合がある。しかし、隙部（第１隙部４１〜第４隙部４４）以外の部分つまり大きく変形する必要がない部分に容器保持部取付爪５９を設けることで、各隙部（第１隙部４１〜第４隙部４４）の変形を大きく阻害することなく、被覆部４０に容器保持部取付爪５９を設けることができる。こうすることで、実施例１の照明部材は、導光部３０とハウジング４との取付作業性に優れるとともに、導光体３とベース部との取付作業性にも優れる。
【００３６】
ハウジング４に設けられている溝４８は、ハウジング４の径方向内側および下側に開口する。このため、溝４８内に収容された導光部３０の光は、ハウジング４の径方向内側および下側に向けて進む。しかし、図４および図５に示すようにハウジング４の径方向内側かつ上側はカバー部１によって覆われている。このため導光部３０を透過した光は照明部２の下方のみを照らす。実施例１の照明部材において、照明部２は容器保持部７の上方に配置されている。したがって、実施例１の照明部材における照明部２は、容器保持部７を上方から下方に向けて照らす。このため、実施例１の照明部材つまりドリンクホルダでは、容器保持部７の内部における上側部分がリング状に照らされる。このため、ドリンクホルダには光による意匠が付与され、さらに、ドリンクホルダの入口部分つまり収容開口７０に照明が設けられているため、夜間等の光量の少ない使用環境下においてもユーザーがドリンクホルダの入口を視認できる。つまり実施例１の照明部材によるとドリンクホルダに優れた使用性を付与できる。
【００３７】
実施例１の照明部材はドリンクホルダとして具現化されているが、本発明の照明部材は導光部３０とハウジング４とを有しさえすれば良く、例えば実施例１の照明部材における照明部２のみで本発明の照明部材を構成しても良い。また、実施例１の照明部材においては、導光部３０およびハウジング４はそれぞれ略リング状をなし、照明部２は全体としてリング状をなすが、本発明の照明部材の形状はこれに限定されない。つまり、本発明の照明部材は、実施例１の照明部材における照明部２のように中空のリング状をなしても良いし、或いは、中実形状をなしても良い。例えば、円板状の導光部３０を用い、当該円板状の導光部３０をハウジング４で覆っても良い。この場合にも、導光部３０の形状に応じた意匠を表示可能である。このような照明部材は、例えば車両のスカッフプレートやエンブレム等として具現化し得る。更には、このような中実形状の照明部２によって例えばドリンクホルダの底部を構成すれば、ドリンクホルダの内側を底部から光らせることもできる。
【００３８】
図７に示す導光部３０において、ハッチをかけた部分は、光拡散処理を施した領域３０ｃを指す。本明細書において、光拡散処理とは、導光部３０の表面に光拡散反射パターンを形成する処理全般を指す。当該光拡散反射パターンの形成方法として、具体的には、導光部３０の表面にシボ加工やブラスト処理などの粗面処理を施す方法や、光反射拡散性インクにより印刷したり光反射拡散テープを貼り付けたりして光反射拡散層を形成する方法が例示される。光拡散処理を行うことで、導光部３０の内部を通過する光を導光部３０表面で拡散反射させ得る。つまり、光拡散処理を施した部分は導光部３０のなかでも強く光る。
【００３９】
ところで、一般に、導光部３０において光源から遠い部分は、光源から近い部分に比べて強く光り難い。したがって、実施例１の照明部材においては、導光部３０に光拡散反射処理を施した領域３０ｃを設けるとともに、当該光拡散反射処理を施した領域３０ｃを、光源９０から離れるにつれて、つまり、光流れ方向の下流側に向けて大きくなるようにすることで、導光部３０全体を均一に光らせている。
【００４０】
また、一般に、導光部３０の内部を通過する光は導光部３０における曲率の大きな部分において導光部３０の外部に出射し易い。実施例１の照明部材においては、第１隙部４１が導光部３０において最も曲率の大きな部分であり、光が導光部３０の外部に出射し易い部分である。このような部分は、一般に、強く光り易い。このため、実施例１の照明部材においては、第１隙部４１よりも光流れ方向の上流側において、一旦、光拡散処理を施した領域３０ｃの面積を小さくした。このことにより、第１隙部４１から導光部３０の外部に出射する光の量が絞られ、第１隙部４１が必要以上に強く光ることを抑制し得る。さらに、このことによって、導光部３０のなかで第１隙部４１よりもさらに光流れ方向の下流側にある部分に、充分な量の光を供給し得る。これらの協働により、実施例１の照明部材における導光部３０は略均一な強さで光る。
【００４１】
本発明の照明部材においては、導光部３０および被覆部４０はその内周が真円となるリング状であっても良いし、その他の形状であっても良い。しかし実施例１においては、敢えて、被覆部４０を第１軸方向（Ｉ）と第２軸方向（ＩＩ）とを有する内周非真円のリング状にして、被覆部４０を比較的大きく変形できるようにすることで、導光部３０とハウジング４との取付作業性を向上させた。しかしその一方で、被覆部４０の形状に対応させて、導光部３０を内周非真円のリング状にしたために、導光部３０には曲率の大きな部分が生じる。上述したように、曲率の大きな部分を有する導光部３０には光ムラが生じる可能性がある。しかし、上述したように、導光部３０に光拡散処理を施し、当該光拡散処理を施した領域３０ｃの大きさを導光部３０の部分毎に最適化したことで、導光部３０の光ムラを低減し、導光部３０の全体を均一に光らせることが可能となる。つまり、実施例１の技術によると、容易にかつ安価に製造でき、かつ、導光部３０が均一に光る照明部材を提供することが可能となる。
【００４２】
さらに、図７に示すように、光導入部３９の突出端部は、対向するＬＥＤ光源９０に向けて凸状に湾曲する凸レンズになっている。一般的な照明部材では、光導入部３９と導光部３０との接続部分において光が複雑な光路で進むために、当該接続部分において光が外部に漏れ、当該接続部分は強く光り易い。しかし、実施例１の照明部材においては、上記したように光導入部３９の突出端部を凸レンズ状の入射面としたことで、光導入部３９に入射した光の直進性を高め、上記した接続部分での光の反射を低減し、光導入部３９から導光部３０に供給される光の量を増大させることができる。したがって、実施例１の照明部材によると、上記接続部分が強く光る不具合を抑制し、導光部３０の全体を均一かつ明るく光らせることができる。
【産業上の利用可能性】
【００４３】
本発明の照明部材の用途は特に限定されず、様々な装置や備品に配設できる。例えば、車両用の内装部材や外装部材またはその一部として好ましく具現化できる。
【００４４】
本発明は、上記し且つ図面に示した実施形態にのみ限定されるものではなく、要旨を逸脱しない範囲内で適宜変更して実施できる。また、実施形態を含む本明細書に示した各構成要素は、それぞれ任意に抽出し組み合わせて実施できる。
【００４５】
本発明の照明部材は、以下のように表現できる。
（１）導光部３０と、
枠状をなし弾性変形可能であり前記導光部３０における外周面３０ａの全周を覆う被覆部４０と、前記被覆部４０に一体に設けられ前記導光部３０における前記外周面３０ａよりも内側に向けて突起する導光部取付爪５５と、を有するハウジング４と、を備え、
前記導光部３０の前記外周面３０ａと前記被覆部４０の内周面４０ｂとは対面し、
前記被覆部４０は、前記被覆部４０の前記内周面４０ｂと前記導光部３０の前記外周面３０ａとの隙間の大きな隙部４１〜４４と、前記隙部４１〜４４に比べて前記隙間の小さな狭部４５〜４８と、を有する照明部材。
（２）前記導光部取付爪５５は前記隙部４１〜４４に設けられている（１）に記載の照明部材。
（３）前記被覆部４０の内周は非真円状をなし、
前記被覆部４０は、前記内周の径が最大となる第１軸方向（Ｉ）における両端部に二つの前記隙部４１、４２を有し、
前記導光部取付爪５５は、前記隙部４１、４２の各々に設けられている、（２）に記載の照明部材。
（４）前記被覆部４０の内周は非真円状をなし、
前記被覆部４０は、前記内周の径が最大となる第１軸方向（Ｉ）における両端部と、前記第１軸方向（Ｉ）に直交する第２軸方向（ＩＩ）における両端部と、にそれぞれ二つの前記隙部４１〜４４を有し、
前記導光部取付爪５５は、前記隙部４１〜４４の各々に設けられている、（２）に記載の照明部材。
（５）さらに、ベース部７を有し、
前記ハウジング４は、前記被覆部４０に一体に設けられ前記ベース部７に係合するベース部取付爪５９を有し、
前記ベース部取付爪５９は、前記隙部４１〜４４を避けた位置に設けられている、（１）〜（４）の何れか一項に記載の照明部材。
【符号の説明】
【００４６】
３０：導光部          ３０ａ：導光部の外周面
４：ハウジング        ４０：被覆部              ４０ｂ：被覆部の内周面
４１〜４４：隙部；第１隙部〜第４隙部
４５〜４８：狭部；第１狭部〜第４狭部
５５：導光部取付爪    ５９：ベース部取付爪；容器保持部取付爪
（Ｉ）：第１軸方向      （ＩＩ）：第２軸方向
７：ベース部；容器保持部
【図１】
0006406151.tif 000002
【図２】
0006406151.tif 000003
【図３】
0006406151.tif 000004
【図４】
0006406151.tif 000005
【図５】
0006406151.tif 000006
【図６】
0006406151.tif 000007
【図７】
0006406151.tif 000008